(57)【要約】【課題】  樋状のカールが大きい写真フィルムでもそのカールを確実に抑えて写真フィルムの平面性を良好にすることができるフィルムキャリアを得る。【解決手段】  フィルムキャリア１０の画像読取部１４に搬送された写真フィルムＦに対し、一対のマスク２４Ａ、２４Ｂをベース板１８に接近させてフィルム表面における搬送方向の両縁部ＦＡを押圧し、その後に、一対の圧着ユニット４０Ａ、４０Ｂの各ベルト５０をベース板１８に接近させてフィルム表面における幅方向の両縁部ＦＢに圧着させ、この各ベルト５０とベース板１８の凸部２２Ａ、２２Ｂとの間で写真フィルムＦを挟持し基準位置にセットする。写真フィルムＦに生じているフィルム幅方向に曲率を持つ樋状のカールは、フィルム幅方向の両縁部ＦＢが各ベルト５０とベース板１８の凸部２２Ａ、２２Ｂとの間に挟持される前に、フィルム搬送方向の両縁部ＦＡがマスク２４Ａ、２４Ｂによって押圧されることにより大幅に縮小される。【選択図】    図４
2006162749.tif 000002
【特許請求の範囲】
【請求項１】
写真フィルムに記録された画像コマに光を照射して画像を読み取るために、写真フィルムを搬送路に沿って画像読取位置に搬送するフィルムキャリアであって、
前記画像読取位置に設けられ、画像読取位置に搬送された写真フィルムの裏面が接触して光照射方向に沿った基準位置に写真フィルムをセットするための基準板と、
写真フィルムの搬送方向における前記画像読取位置の上流側及び下流側に配置されるとともに、前記基準板に対して接近及び離間可能、且つ、少なくとも一方が搬送方向に沿って移動可能に設けられ、画像読取位置に搬送された写真フィルムの表面における搬送方向の両縁部を押圧及び押圧解除する一対のマスク部材と、
前記一対のマスク部材を前記基準板に対して接近及び離間させるとともに、前記一対のマスク部材の少なくとも一方を画像コマのサイズに応じて搬送方向に沿って移動させるマスク部材移動手段と、
写真フィルムの幅方向における前記画像読取位置の両側に配置されるとともに前記基準板に対して接離可能に設けられ、画像読取位置に搬送された写真フィルムの表面における前記幅方向の両縁部に圧着して基準板との間に写真フィルムを挟持し、且つ、圧着解除して写真フィルムを挟持解除する一対の圧着部材と、
前記一対の圧着部材を前記基準板に対して接離させる圧着部材移動手段と、
を有し、
前記画像読取位置に搬送された写真フィルムに対し、前記一対のマスク部材により写真フィルムを押圧した後に前記一対の圧着部材を写真フィルムに圧着させることを特徴とするフィルムキャリア。
【請求項２】
前記基準板は画像コマと対応する部位に前記搬送方向に沿って凹部が設けられ、前記一対のマスク部材による写真フィルムの押圧では、一対のマスク部材を前記凹部内に進入させるとともに凹部に接触させない位置で停止させることを特徴とする請求項１記載のフィルムキャリア。
【請求項３】
前記圧着部材は、前記搬送方向に沿って回転移動可能に設けられた無端状のベルト部材を有することを特徴とする請求項１及び請求項２記載のフィルムキャリア。
【発明の詳細な説明】
【技術分野】
【０００１】
本発明は、写真フィルムに記録された画像コマに光を照射して画像を読み取るために、写真フィルムを搬送路に沿って画像読取位置に搬送するフィルムキャリアに関する。
【背景技術】
【０００２】
写真フィルム用のスキャナ装置（デジタルスキャナ装置）には、装置の本体部にフィルムキャリアが着脱可能に装着され、このフィルムキャリアに設けられた搬送路に沿って写真フィルムを所定の画像読取位置へ搬送し、この画像読取位置で写真フィルムに記録された画像コマをＣＣＤエリアセンサによって読み取るものがある。このようなスキャナ装置では、例えば、光源部から出射され写真フィルムを透過した光（フィルム透過光）をレンズユニットによりＣＣＤエリアセンサの受光面上に結像し、ＣＣＤエリアセンサにより画像を担持したフィルム透過光を電気的な画像信号に変換しており、そのため、写真フィルムに対する画像読取時に、画像読取位置に搬送されてきた写真フィルムを光照射方向（光軸方向）に沿ってレンズユニットに対して精度良く一定の位置に保つ必要がある。
【０００３】
そこで、画像読取位置に配置したベース板（基板）に対して、写真フィルム（フィルムストリップ）の画像コマを平面化するにあたり、フィルム長手方向における画像コマの両縁に沿って垂直方向及び幅方向にクランプ力を作用させ、フィルム幅方向における画像コマの両縁に沿って垂直方向にクランプ力を作用させることより、画像コマを平面化するクランプ手段が提案されている（例えば、特許文献１参照）。また、このクランプ手段を用いた画像コマのクランプでは、クランプ力を作用するタイミングに関して、フィルム幅方向のクランプ要素をフィルム長手方向のクランプ要素よりも遅らせて写真フィルムに接触させクランプ力を作用させてもよいとされている。
【０００４】
一方、上記のフィルムキャリアにおいては、例えば１３５タイプの写真フィルムに記録されているフルサイズコマやハーフサイズコマ、パノラマサイズコマ等の各種のコマサイズやトリミングプリント範囲に対応するために可変マスクを備えたものがあり、この可変マスクによって写真フィルムの平面性が損なわれないようにするために、写真フィルムの送り方向（搬送方向）で互いに反対方向に移動する１対の送り方向可変マスクと、写真フィルムの幅方向で互いに反対方向に移動する１対の幅方向可変マスクとを、写真フィルムに摺接する同一平面上に配置することが提案されている（例えば、特許文献２参照）。
【特許文献１】特開平７−１９９３６６号公報
【特許文献２】特開平７−５５９０号公報
【発明の開示】
【発明が解決しようとする課題】
【０００５】
写真フィルムは、湿度や放置環境に応じてカールを生じるが、特許文献１に記載されるような、写真フィルムに対し垂直方向だけでなく幅方向にもクランプ力を作用させてコマ画像を平面化するクランプ手段は、写真フィルムの有するカールの影響を排除し画面読取の精度低下を抑える上で有用である。しかし、写真フィルムのカールは、フラットな搬送路内においては一般的にフィルム幅方向に曲率を持つ樋状のカールとなるため、特許文献１に記載されているように、クランプ手段における幅方向のクランプ要素を長手方向のクランプ要素と同時に、あるいは、長手方向のクランプ要素よりも遅らせて写真フィルムに接触させクランプ力を作用させると、樋状のカールが大きい（カールの曲率が大きい）写真フィルムの場合、長手方向のクランプ要素によってカールを十分に抑えきれないおそれがある。
【０００６】
また、特許文献１の装置が対象とする写真フィルムは、記録する画像コマサイズが一定のものであり、同じフィルム幅でありながらフィルムの搬送方向において異なるサイズを有するフォーマット、例えば１３５フィルムのフル／ハーフサイズ、ブローニフィルムの６×４．５、６×６、６×７、６×８、６×９サイズ等の切り替えには対応できない。
【０００７】
一方、特許文献２では、送り方向可変マスクによって上記のようなフィルムの搬送方向における画像コマサイズの変更には対応できるが、送り方向可変マスクは写真フィルムに摺接するため、その可変マスクの動作によって写真フィルムを傷付けるおそれがある。また、１コマのフィルム搬送では、写真フィルムのカールが大きい場合、送り方向可変マスクの動作でマスクが写真フィルムに引っ掛かりフィルムを搬送できなくなるおそれがある。
【０００８】
本発明は上記事実を考慮して、写真フィルムを傷付けることなく搬送方向における画像コマサイズの変更に対応するとともに、樋状のカールが大きい写真フィルムでもそのカールを確実に抑えて写真フィルムの平面性を良好にすることができるフィルムキャリアを提供することを課題とする。
【課題を解決するための手段】
【０００９】
上記目的を達成するために請求項１に記載の発明は、写真フィルムに記録された画像コマに光を照射して画像を読み取るために、写真フィルムを搬送路に沿って画像読取位置に搬送するフィルムキャリアであって、前記画像読取位置に設けられ、画像読取位置に搬送された写真フィルムの裏面が接触して光照射方向に沿った基準位置に写真フィルムをセットするための基準板と、写真フィルムの搬送方向における前記画像読取位置の上流側及び下流側に配置されるとともに、前記基準板に対して接近及び離間可能、且つ、少なくとも一方が搬送方向に沿って移動可能に設けられ、画像読取位置に搬送された写真フィルムの表面における搬送方向の両縁部を押圧及び押圧解除する一対のマスク部材と、前記一対のマスク部材を前記基準板に対して接近及び離間させるとともに、前記一対のマスク部材の少なくとも一方を画像コマのサイズに応じて搬送方向に沿って移動させるマスク部材移動手段と、写真フィルムの幅方向における前記画像読取位置の両側に配置されるとともに前記基準板に対して接離可能に設けられ、画像読取位置に搬送された写真フィルムの表面における前記幅方向の両縁部に圧着して基準板との間に写真フィルムを挟持し、且つ、圧着解除して写真フィルムを挟持解除する一対の圧着部材と、前記一対の圧着部材を前記基準板に対して接離させる圧着部材移動手段と、を有し、前記画像読取位置に搬送された写真フィルムに対し、前記一対のマスク部材により写真フィルムを押圧した後に前記一対の圧着部材を写真フィルムに圧着させることを特徴としている。
【００１０】
請求項１に記載の発明では、フィルムキャリアの搬送路に沿って画像読取位置に搬送された写真フィルムは、マスク部材移動手段によって基準板に接近する方向へ移動される一対のマスク部材によりフィルム表面における搬送方向の両縁部が押圧され、その後に、圧着部材移動手段によって基準板に接近する方向へ移動される一対の圧着部材がフィルム表面における幅方向の両縁部に圧着することにより、一対の圧着部材と基準板との間に挟持されて光照射方向に沿った基準位置にセットされる。その状態で、記録された画像コマに光が照射されて画像が読み取られる。
【００１１】
また、一対のマスク部材における少なくとも一方は、基準板から離間され写真フィルムの押圧を解除した状態で、マスク部材移動手段により、画像コマのサイズに応じてフィルム搬送方向に沿って移動され所定のマスク位置に配置されるため、このマスク部材の変位により、写真フィルムを傷付けることなく搬送方向における画像コマサイズの変更に対応することができる。
【００１２】
ここで、写真フィルムに生じているフィルム幅方向に曲率を持つ樋状のカールは、フィルム幅方向の両縁部が一対の圧着部材と基準板との間に挟持される前に、フィルム搬送方向の両縁部が一対のマスク部材によって押圧されることにより大幅に縮小される。したがって、大きなカールであっても確実に抑えることができ、写真フィルムの平面性を良好にすることができる。
【００１３】
請求項２に記載の発明は、請求項１記載のフィルムキャリアにおいて、前記基準板は画像コマと対応する部位に前記搬送方向に沿って凹部が設けられ、前記一対のマスク部材による写真フィルムの押圧では、一対のマスク部材を前記凹部内に進入させるとともに凹部に接触させない位置で停止させることを特徴としている。
【００１４】
請求項２に記載の発明では、樋状の大きなカールが生じている写真フィルムに対し、フィルム搬送方向の両縁部を押圧する一対のマスク部材を、例えば光照射方向に沿った基準位置まで移動させただけでは、写真フィルムの中央部に許容範囲を超えるカールが残ってしまう場合がある。また、この一対のマスク部材による押圧で、フィルム搬送方向の両縁部を例えば基準板に圧着させてしまうと、写真フィルムと基準板との間に空気溜まりが形成されてカールが潰れにくくされてしまう問題あがる。
【００１５】
そこで、基準板の画像コマと対応する部位に、フィルム搬送方向に沿って凹部を設け、一対のマスク部材を基準板の凹部内に進入させるまで移動させて、写真フィルムにおける搬送方向の両縁部を押圧する。これにより、写真フィルムにおける搬送方向の両縁部は光照射方向に沿った基準位置よりもさらに押し込まれるようになり、写真フィルムの中央部に残ってしまうカールを許容範囲に抑えることが可能となる。また、凹部内に進入させた一対のマスク部材を凹部に接触させない位置で停止させることにより、写真フィルムにおける搬送方向の両縁部が基準板に圧着して写真フィルムと基準板との間に空気溜まりが形成されることはなくなり、カールが潰れにくくされることを防止できる。
【００１６】
請求項３に記載の発明は、請求項１及び請求項２記載のフィルムキャリアにおいて、前記圧着部材は、前記搬送方向に沿って回転移動可能に設けられた無端状のベルト部材を有することを特徴としている。
【００１７】
請求項３に記載の発明では、搬送路に沿って画像読取位置に搬送される写真フィルは、圧着部材が有する搬送方向に沿って回転移動可能に設けられた無端状のベルト部材によって搬送されるため、１コマ又は複数コマ毎にカットされた短尺の写真フィルムでも自動で搬送することができる。
【発明の効果】
【００１８】
本発明のフィルムキャリアは上記構成としたので、写真フィルムを傷付けることなく搬送方向における画像コマサイズの変更に対応できるとともに、樋状のカールが大きい写真フィルムでもそのカールを確実に抑えて写真フィルムの平面性を良好にすることができる。
【発明を実施するための最良の形態】
【００１９】
以下、図面を参照して本発明の実施形態に係るフィルムキャリアについて説明する。
【００２０】
図１〜図３には、本実施形態のフィルムキャリア１０が示されている。フィルムキャリア１０は、ブローニーフィルム用のフィルムキャリアでスキャナ装置に着脱可能とされており、このフィルムキャリア１０には、図１及び図２に示されるように、スキャナ装置に装着されるベース台１２が設けられている。ベース台１２の略中央部には、写真フィルム（ブローニーフィルム）Ｆに記録された画像コマＰにスキャナ装置の光源部から出射された光を照射し、写真フィルムＦを透過した光（フィルム透過光）をスキャナ装置のレンズユニットによりＣＣＤエリアセンサ等の撮像素子の受光面上に結像することにより、フィルム透過光を撮像素子によって電気的な画像信号に変換して画像を読み取るための画像読取部１４が設けられている。また、ベース台１２の上面部には、写真フィルムＦを画像読取部１４に搬送するためのフィルム搬送路Ｒが装置の幅方向（矢印Ｗ方向）に沿って延在するように形成されており、このフィルム搬送路は図中の矢印Ｒで模式的に示されている。
【００２１】
図２に示されるように、画像読取部１４には装置幅方向を長手とする矩形状の窓部１６が形成されており、窓部１６には、画像読取部１４に搬送された写真フィルムＦの裏面が接触して光照射方向（図４（Ｂ）の光軸Ｌ参照）に沿った基準位置に写真フィルムＦをセットするためのベース板１８が嵌め込まれている。
【００２２】
ベース板１８は、透明ガラス板で形成されており、図３に示されるように、ベース板１８の上面には、写真フィルムＦの画像コマＰと対応する部位に、フィルム搬送方向（矢印Ａ方向）に沿って凹部２０が延設され、フィルム搬送方向と直交する方向（フィルム幅方向）における両側縁部に、凹部２０を形成する一対の凸部２２Ａ、２２Ｂが延設されている。上記の光照射方向に沿った基準位置は、この一対の凸部２２Ａ、２２Ｂの各上面によって構成されている（画像読取基準面Ｓ）。また、凹部２０のフィルム搬送方向と直交する方向での溝幅寸法Ｌ１は、画像コマＰの幅寸法Ｌ２よりも少し大きくされている。
【００２３】
フィルム搬送路Ｒにおける画像読取部１４の上流側及び下流側には、フィルム搬送方向と直交する方向に沿って延出された一対のマスク２４Ａ、２４Ｂが設けられている。この一対のマスク２４Ａ、２４Ｂは、フィルム搬送方向と直交する方向での長さ寸法が、ベース板１８の凹部２０の溝幅寸法Ｌ１よりも少し小さくされており（図３参照）、ベース台１２に図示しない支持機構によって昇降可能、及びフィルム搬送方向に沿って移動可能とされ（矢印Ｗ方向）互いに接近及び離間するように支持されたマスク保持部材２６Ａ、２６Ｂに取り付けられて保持されている。
【００２４】
これにより、マスク２４Ａ、２４Ｂは、マスク保持部材２６Ａ、２６Ｂの昇降に伴いベース板１８に対して接近及び離間する（図３の矢印Ｚ方向）。また、マスク２４Ａ、２４Ｂは、マスク保持部材２６Ａ、２６Ｂが上昇しているときには、ベース板１８から所定距離だけ離れて配置され、マスク保持部材２６Ａ、２６Ｂが所定位置まで下降すると、画像読取基準面Ｓと略一致する所定の位置で停止されるよう構成されている。
【００２５】
また、マスク保持部材２６Ａ、２６Ｂの一端部には、フィルム搬送方向に沿って延出されたラック３０が連結されており、ラック３０のラックギア３２には、ステッピングモータからなるマスク移動モータ３４の駆動ギア３６が噛み合っている。これにより、マスク移動モータ３４が駆動ギア３６を回転駆動させると、ラック３０がフィルム搬送方向に沿って移動し、このラック３０の移動に伴いマスク保持部材２６Ａ、２６Ｂはフィルム搬送方向に沿って移動しつつ互いに接近及び離間し、マスク２４Ａ、２４Ｂによるマスク位置を変更する。このマスク２４Ａ、２４Ｂの変位により、写真フィルムＦの搬送方向における画像コマサイズの変更に対応することができる。
【００２６】
フィルム搬送方向と直交する方向における画像読取部１４の両側には、一対の圧着ユニット４０Ａ、４０Ｂが設けられている。この一対の圧着ユニット４０Ａ、４０Ｂは、フィルム搬送方向に沿って延出された圧着ベース４２を備えており、圧着ベース４２は、ベース台１２に図示しない支持機構によって昇降可能に支持され、マスク保持部材２６Ａ、２６Ｂの昇降に伴いベース板１８に対して接近及び離間する（図３の矢印Ｚ方向）。
【００２７】
圧着ベース４２の内側面には、図２に示されるように、フィルム搬送方向に沿って配列された駆動プーリ４４、４個のアイドラプーリ４６、及び従動プーリ４８がそれぞれ回転可能に設けられている。これらの駆動プーリ４４、アイドラプーリ４６、及び従動プーリ４８には無端状のベルト５０が巻き掛けられており、各ベルト５０はフィルム搬送方向に沿って延設され、図３に示されるように、ベース板１８の上面に設けられた凸部２２Ａ、２２Ｂに対向して配置されている。また、各ベルト５０は、マスク保持部材２６Ａ、２６Ｂが上昇しているときには、凸部２２Ａ、２２Ｂから所定距離だけ離れて配置され、マスク保持部材２６Ａ、２６Ｂが所定位置まで下降すると、上述したマスク２４Ａ、２４Ｂの所定位置での停止後に、凸部２２Ａ、２２Ｂに圧着する。
【００２８】
図２に示されるように、圧着ユニット４０Ａ、４０Ｂの各駆動プーリ４４には、回転駆動軸５２Ａ、５２Ｂが連結されている。圧着ユニット４０Ａ、４０Ｂの各ベルト５０は、図示しないベルト駆動モータによって回転駆動軸５２Ａ、５２Ｂが同期して回転駆動されることにより、各駆動プーリ４４によって回転駆動され所定の方向へ同期して回転移動する。
【００２９】
図１に示されるように、フィルム搬送方向と直交する方向における圧着ユニット４０Ａ、４０Ｂの各外側には、一対の偏芯カム５４Ａ、５４Ｂが配置されている。この一対の偏芯カム５４Ａ、５４Ｂは、両端部が一対の軸受け部５６Ａ、５６Ｂに回転可能に支持されており、図３に示されるように、カム部５８Ａ、５８Ｂが、マスク保持部材２６Ａ、２６Ｂ上面の両側部に形成された押圧面部６０に当接している。
【００３０】
偏芯カム５４Ａ、５４Ｂの一端部先端には、タイミングプーリ６２Ａ、６２Ｂが取り付けられている。これらのタイミングプーリ６２Ａ、６２Ｂと、ステッピングモータからなる圧着モータ６６の駆動プーリ６７との間には、１本の無端状のタイミングベルト６４が巻き掛けられている。これにより、圧着モータ６６が作動して駆動プーリ６７を回転駆動させると、その回転駆動力がタイミングベルト６４を介してタイミングプーリ６２Ａ、６２Ｂに伝達され、偏芯カム５４Ａ、５４Ｂは同期して回転し、カム部５８Ａ、５８Ｂのカム面を上下に移動させる。そして、マスク保持部材２６Ａ、２６Ｂは、押圧面部６０が偏芯カム５４Ａ、５４Ｂのカム部５８Ａ、５８Ｂに押圧されると、下降してベース板１８に接近し、また、カム部５８Ａ、５８Ｂによる押圧が解除されると、支持機構に設けられた図示しないばね部材のばね力によって上昇しベース板１８から離間する。
【００３１】
次に、上記の構成とされた本実施形態のフィルムキャリア１０による写真フィルムＦに記録された画像コマＰから画像を読み取る画像読取動作及びその作用について説明する。
【００３２】
本実施形態のフィルムキャリア１０では、圧着ユニット４０Ａ、４０Ｂの各ベルト５０の回転移動により、写真フィルムＦがベース台１２の上面部に設けられたフィルム搬送路Ｒに沿って搬送され、図４（Ａ）に示されるように画像読取部１４に停止されると、圧着モータ６６が駆動してマスク保持部材２６Ａ、２６Ｂは下降する。
【００３３】
このマスク保持部材２６Ａ、２６Ｂの下降に伴い、ベース板１８に接近する方向へ移動される一対のマスク２４Ａ、２４Ｂによってフィルム表面における搬送方向の両縁部ＦＡ（図１参照）が押圧され画像読取基準面Ｓまで押し込まれる。さらに、このマスク２４Ａ、２４Ｂによる押圧後に、マスク保持部材２６Ａ、２６Ｂの下降に伴い、ベース板１８に接近する方向へ移動される一対の圧着ユニット４０Ａ、４０Ｂの各ベルト５０がフィルム表面における幅方向の両縁部ＦＢに圧着し、図４（Ｂ）に示されるように、写真フィルムＦは両縁部ＦＢが各ベルト５０とベース板１８の凸部２２Ａ、２２Ｂとの間に挟持されて画像読取部１４にセットされる。
【００３４】
その状態で、写真フィルムＦに記録された画像コマＰに、スキャナ装置の光源部から出射された光（図４（Ｂ）の矢印ＬＴ）がベース板１８を透過して照射され、この画像コマＰを透過した光（透過光）が、スキャナ装置のレンズユニットにより撮像素子の受光面上に結像される。これにより、フィルム透過光が撮像素子によって電気的な画像信号に変換され、画像として読み取られる。
【００３５】
ここで、写真フィルムＦに生じているフィルム幅方向に曲率を持つ樋状のカールは、フィルム幅方向の両縁部ＦＢが圧着ユニット４０Ａ、４０Ｂの各ベルト５０とベース板１８の凸部２２Ａ、２２Ｂとの間に挟持される前に、フィルム搬送方向の両縁部ＦＡがマスク２４Ａ、２４Ｂによって押圧されることにより大幅に縮小される。したがって、大きなカールであっても確実に抑えることができ、写真フィルムＦの平面性を良好にすることができる。
【００３６】
また、マスク２４Ａ、２４Ｂは、ベース板１８から離間され写真フィルムＦの押圧を解除した状態で、マスク移動モータ３４の駆動によるマスク保持部材２６Ａ、２６Ｂの相対移動により、画像コマＰのサイズに応じてフィルム搬送方向に沿って互いに接近及び離間するよう移動され、所定のマスク位置に配置される。このマスク２４Ａ、２４Ｂの変位により、写真フィルムＦを傷付けることなく搬送方向における画像コマサイズの変更に対応することができる。
【００３７】
また、樋状の大きなカールが生じている写真フィルムＦに対し、フィルム搬送方向の両縁部ＦＡを押圧する一対のマスク２４Ａ、２４Ｂを、例えば光照射方向に沿った基準位置（画像読取基準面Ｓ）まで移動させただけでは、写真フィルムＦの中央部に許容範囲を超えるカールが残ってしまう場合があり、さらに、この一対のマスク２４Ａ、２４Ｂによる押圧で、フィルム搬送方向の両縁部ＦＡを例えばベース板１８に圧着させてしまうと、写真フィルムＦとベース板１８との間に空気溜まりが形成されてカールが潰れにくくされてしまう問題あがる。
【００３８】
これに対し、本実施形態では、ベース板１８の画像コマＰと対応する部位に、フィルム搬送方向に沿って凹部２０を設け、図４（Ｂ）の二点鎖線で示したように、マスク２４Ａ、２４Ｂをベース板１８の凹部２０内にΔＺだけ進入させるまで移動させて、写真フィルムＦにおける搬送方向の両縁部ＦＡを押圧することにより、その両縁部ＦＡは光照射方向に沿った基準位置よりもさらに押し込まれるようになり、写真フィルムの中央部に残ってしまうカールＣを許容範囲に抑えることが可能となる。また、凹部２０内に進入させたマスク２４Ａ、２４Ｂを凹部２０に接触させない位置で停止させることにより、写真フィルムＦにおける搬送方向の両縁部ＦＡがベース板１８に圧着して写真フィルムＦとベース板１８との間に空気溜まりが形成されることはなくなり、カールＣが潰れにくくされることを防止できる。
【００３９】
また、本実施形態では、フィルム搬送路Ｒに沿って画像読取部１４に搬送される写真フィルムＦは、圧着ユニット４０Ａ、４０Ｂに搬送方向に沿って回転移動可能に設けられた各ベルト５０によって搬送されるため、１コマ又は複数コマ毎にカットされた短尺の写真フィルムでも自動で搬送することができる。
【００４０】
以上、本発明を上述した特定の実施形態により詳細に説明したが、本発明はその実施形態に限定されるものではなく、本発明の範囲内にて他の種々の形態が実施可能である。
【００４１】
例えば、上述した実施形態では、マスク２４Ａ、２４Ｂを互いに接近及び離間させることによりマスク位置を変更するよう構成しているが、これらのマスク２４Ａ、２４Ｂは、何れか一方を他方に対して接近及び離間させることでマスク位置を変更するようにしてもよい。
【図面の簡単な説明】
【００４２】
【図１】本発明の一実施形態に係るフィルムキャリアの外観を示す斜視図である。
【図２】図１のフィルムキャリアにおいてマスク、マスク保持部材、及びその駆動機構を取り除いた状態の外観を示す斜視図である。
【図３】本発明の一実施形態に係るフィルムキャリアの要部をフィルム搬送路の上流側から見た外観を示す斜視図である。
【図４】本発明の一実施形態に係るフィルムキャリアによる写真プリントのカールを抑える動作を説明する説明図で、（Ａ）は樋状のカールを生じている写真フィルムが画像読取部に搬送された直後の状態であり、（Ｂ）は写真フィルムのカールが抑えられている状態である。
【符号の説明】
【００４３】
１０   フィルムキャリア
１４   画像読取部（画像読取位置）
１８   ベース板（基準板）
２０   凹部
２４Ａ マスク
２４Ｂ マスク
２６Ａ マスク保持部材（マスク部材移動手段／圧着部材移動手段）
２６Ｂ マスク保持部材（マスク部材移動手段／圧着部材移動手段）
３０   ラック（マスク部材移動手段）
３４   マスク移動モータ（マスク部材移動手段）
４０Ａ 圧着ユニット（圧着部材）
４０Ｂ 圧着ユニット（圧着部材）
５０   ベルト（圧着部材／ベルト部材）
５４Ａ 偏芯カム（マスク部材移動手段／圧着部材移動手段）
５４Ｂ 偏芯カム（マスク部材移動手段／圧着部材移動手段）
６２Ａ タイミングプーリ（マスク部材移動手段／圧着部材移動手段）
６２Ｂ タイミングプーリ（マスク部材移動手段／圧着部材移動手段）
６４   タイミングベルト（マスク部材移動手段／圧着部材移動手段）
６６   圧着モータ（マスク部材移動手段／圧着部材移動手段）
Ｃ     カール
Ｆ     写真フィルム
ＦＡ   両縁部
ＦＢ   両縁部
Ｌ     光軸
Ｐ     画像コマ
Ｒ     フィルム搬送路
Ｓ     画像読取基準面
【図１】
2006162749.tif 000003
【図２】
2006162749.tif 000004
【図３】
2006162749.tif 000005
【図４】
2006162749.tif 000006